(57)【要約】【課題】信頼性の高い切替機能が保証された診療台を提供することを目的とする。【解決手段】患者の治療に用いられる診療台において、複数のテーブル要素および各テーブル要素の位置をそれぞれ設定するための位置決め装置が備えられている。位置決め装置には、位置決め装置の所定の位置決め動作を制御する作動部と接続した複数の電気スイッチまたは開閉接点が備えられている。また、位置決め装置は足元スイッチ（１１）の形状であり、少なくとも一つの作動レバー（１）を備えており、作動レバー（１）の動作は案内装置（２）によって予め所定の方向へ決まり、少なくとも２つのスイッチ（３）または少なくとも二つの開閉接点に伝達される。【選択図】図１
2009136462.tif 000002
【特許請求の範囲】
【請求項１】
複数のテーブル要素および各テーブル要素の位置を選択的に設定する位置決め装置を備え、
前記位置決め装置は、前記位置決め装置による選択的な位置移動の制御を可能にする作動部を伴う複数の電気スイッチまたは開閉接点を備えており、
前記位置決め装置は足元スイッチ（１１）の形状であり、作動レバー（１）を少なくとも一つ以上備えており、
前記作動レバー（１）の動作は案内装置（２）によって予め所定の方向に決まり、少なくとも２つ以上のスイッチ（３）または少なくとも２つ以上の開閉接点に伝達されることを特徴とする患者治療用の診療台。
【請求項２】
所定方向への前記作動レバー（１）の動作を少なくとも２つ以上の前記スイッチ（３）または少なくとも２つ以上の前記開閉接点に同時に伝達することが可能であることを特徴とする請求項１に記載の診療台。
【請求項３】
前記足元スイッチ（１１）には、それぞれスイッチ（３）または開閉接点を伴う前記作動レバー（１）を複数、特に３つ備えていることを特徴とする請求項１または２に記載の診療台。
【請求項４】
前記作動レバー（１）は動作の所定方向にジョイスティックのような方法で前記足元スイッチ（１）に可動可能に取り付けられていることを特徴とする請求項１〜３のいずれかに記載の診療台。
【請求項５】
前記作動レバー（１）は前記足元スイッチ（１１）に回転可能に取り付けられていることを特徴とする請求項１〜４のいずれかに記載の診療台。
【請求項６】
前記作動レバー（１）は、通常（中立）の位置において、足元スイッチ（１１）の外側に形成された周囲の表面部（２２）から放射状に突出するように設置されており、円錐台状、垂直状、または傾斜した円筒形状であることを特徴とする請求項１〜５のいずれかに記載の診療台。
【請求項７】
前記案内装置（２）により、前記作動レバー（１）の互いに直交する動作方向が設定されることを特徴とする請求項１〜６のいずれかに記載の診療台。
【請求項８】
前記作動レバー（１）の動作を複数の前記スイッチ（３）のうち少なくとも一つまたは複数の前記開閉接点のうち少なくとも一つを選択的に作動する機械的作動装置（８）に伝達する弾性変形をする動作伝達装置（７）を備えている請求項１〜７のいずれかに記載の診療台。
【請求項９】
前記動作伝達装置（７）が前記作動レバー（１）に固定されていることを特徴とする請求項８に記載の診療台。
【請求項１０】
前記機械的作動装置（８）は、前記動作伝達装置（７）によって静止位置から作動位置に作動させる複数の作動部（９）を備えていることを特徴とする請求項８または９に記載の診療台。
【請求項１１】
前記作動部（９）は各静止位置に弾性的に付勢されていることを特徴とする請求項１０に記載の診療台。
【請求項１２】
前記作動装置（８）は板状部を備えており、容器に対して固定して設置されていることを特徴とする請求項８〜１１のいずれかに記載の診療台。
【請求項１３】
前記動作伝達装置（７）は発泡材から成ることを特徴とする請求項８〜１０のいずれかに記載の診療台。
【請求項１４】
前記動作伝達装置（７）は、円筒体から成ることを特徴とする請求項８〜１０、１３のいずれかに記載の診療台。
【請求項１５】
前記案内装置（２）により、作動レバー（１）の４方向が設定されることを特徴とする請求項１〜１４のいずれかに記載の診療台。
【請求項１６】
前記４方向はそれぞれ互いに直角に間隔を空けていることを特徴とする請求項１５に記載の診療台。
【請求項１７】
前記動作伝達装置（７）は、容器（５、６）内にある作動レバー（１）の端部または端部付近に固定されていることを特徴とする請求項８〜１０、１３のいずれかに記載の診療台。
【請求項１８】
前記作動レバー（１）は、容器に対して固定されている回転軸の回りに可動であることを特徴とする請求項１〜１７のいずれかに記載の診療台。
【請求項１９】
前記動作伝達装置（７）は、前記回転軸（１０）と間隔を空けて前記作動レバー（１）に固定されていることを特徴とする請求項１７または１８に記載の診療台。
【請求項２０】
前記作動レバー（１）は、容器に対して固定されている案内装置（２）に対してその初期位置において弾性的に付勢されていることを特徴とする請求項１〜１９のいずれかに記載の診療台。
【請求項２１】
前記作動レバー（１）の二つの水平作動装置および二つの垂直作動装置が、足元スイッチ（１１）に備えられていることを特徴とする請求項１〜２０のいずれかに記載の診療台。
【請求項２２】
作動レバー（１）にそれぞれ関連した動作によって所定位置へのテーブル部（２３）の移動を可能にするメモリー機能を足元スイッチ（１１）で選択可能であることを特徴とする請求項１〜２１のいずれかに記載の診療台。
【発明の詳細な説明】
【技術分野】
【０００１】
本発明は、請求項１の分野に記載の患者治療用の診療台に関する。
【背景技術】
【０００２】
患者治療用の診療台として、特許文献１に記載のものが知られている。
【０００３】
【特許文献１】ＥＰ第０，８７３，７４０，Ｂ１号
【発明の開示】
【発明が解決しようとする課題】
【０００４】
上記診療台には、位置決め装置によって所望の位置に選択的に移動可能な複数のテーブル要素が備えられている。つまり、患者に異なった治療ができるように診療台は構成されている。そして、電気スイッチまたは開閉接点によって、好ましくはピストン／円筒の装置形状である作動部を備えたテーブル要素に所望の位置決め動作が伝達される。
【０００５】
本発明の目的は、本明細書の冒頭に記載した分野の信頼性の高い切替機能が保証された診療台を提供することにある。
【課題を解決するための手段】
【０００６】
本発明によれば、請求項１に記載の特徴により本目的を達成することができる。
【０００７】
本発明において、スイッチまたは開閉接点のある位置決め装置には、足元スイッチが備えられている。足元スイッチには、少なくとも一つ、特に三つの作動レバーがある。各作動レバーの動作は、案内装置によってあらかじめ所定の方向に設定されている。これらの動作は、少なくとも二つのスイッチまたは二つの開閉接点へ伝達される。任意に選んだ位置決め動作を行う各切替機能のための切替回路を伴う二つのスイッチまたは二つの開閉接点が、各レバーの動作に備えられていると好ましい。それによって、過負荷安全機能のある足元スイッチが診療台に備えられることになる。以下に詳細を述べるように、ジョイスティックのように動く作動レバーを備えた足元スイッチによって、位置決め動作のための複数の機能を非常に小さい空間に設けることができる。同時に制御される少なくとも二つのスイッチまたは開閉接点が各機能操作に備えられているため、スイッチの一つに異常があっても機能操作が作動する。本発明の機能操作には、各機能操作に必要な全てのスイッチ、特に二つのスイッチを作動し、作動させる必要がある。二つのスイッチのうち一つに異常があり、その結果、切替位置に作動させている状態になったままになった場合、機能操作は一切行われない。このため、前述のように、全ての関連するスイッチまたは開閉接点、特に二つのスイッチまたは開閉接点を作動させておく必要がある。
【０００８】
さらにまた、以下に詳細を述べてあるが、診療用長いすの足元スイッチには、過負荷安全モードおよびコンパクトモードの機能が備えられている。前述の動作モードの特徴によって、足元スイッチは安全スイッチにもなっている。
【０００９】
弾性変形する動作伝達装置が、各作動レバーに固定されていることは好ましく、動作伝達装置は、作動レバーの動作方向またはそれらの位置方向に依存して選択的に二つのスイッチまたは開閉接点を作動させる機械的作動装置に作動レバーの動作を伝達する。動作伝達装置の弾性変形する性質や、機械的作動装置によるスイッチまたは開閉接点の間接的な過負荷安全動作によって、粗雑な操作状況、特に作動レバーを足で作動させる状況においても、長期の機能信頼性が得られ、その結果、装置のメンテナンスの必要がない。作動レバーの動作方向または位置方向に依存し、選択的にスイッチまたは開閉接点を作動する作動装置によって所定の起動力が得られ、スイッチまたは開閉接点に関連した安価な標準部品を使用できる。
【００１０】
間接的な切替動作を起こす機械的作動装置には、弾性変形する動作伝達装置によって停止位置から作動位置に移動する複数の作動部が備えられている。これらの作動部を初期位置（静止位置）に弾性的に付勢させてもよい。そのため、作動部をバネ部品の形状としても良く、容器に対して固定して配置される板状の構成部品を形成するようにバネ部品は組み立てられる。
【００１１】
動作伝達装置が発泡材からなり、円筒体の形状であることは好ましい。
【００１２】
案内装置によって作動レバーを所定の方法で動かすことができ、その動作が４方向であることは好ましい。これらの動作方向は、それぞれ互いに直角に間隔を空けており、足元スイッチにこの装置を設置するときには、水平および垂直方向に置かれる。
【００１３】
作動レバーから作動装置への動作の伝達を効果的に行うため、動作作動装置を作動レバーの一端または一端付近に固定してもよい。この場合、容器に対して固定され、動作伝達装置から間隔を空けて配置される回転軸の周囲に、作動レバーが可動に取り付けられていると好ましい。
【発明を実施するための最良の形態】
【００１４】
以下、図面を参照しながら例を挙げ、これら実施例によって本発明をさらに詳細に述べる。
【００１５】
図に示した足元スイッチの実施例では、作動レバー１が備えられている。作動レバー１は、容器に対して固定して取り付けられた回転軸１０に対して回転可能である。図示した実施例において、容器は、上部容器部５および下部容器部６の二つの容器部からなる。組み立てた状態において（図２）、二つの容器部５および６はねじ込み式接続部によって接続されている。回転軸１０は、開口部のあるボール状に形成されており、その中に作動レバーが嵌められる。回転軸１０は容器、特に上部容器部５または案内装置２に回転可能に取り付けられる。案内装置２は、上部容器部５の上方に配置した凹部１６により支持されている。案内装置２は案内溝１５のある凹型の案内ブロックを備えており、その案内溝１５は互いに直角に延在し、作動レバー１に挟まれた案内ボール１３が、それらにそって作動レバー１の動作に導かれる。案内装置２の案内溝１５により動作方向が決まり、それらに沿って作動レバー１が作動する。
【００１６】
案内ボール１３は、付勢ばね１２によって案内装置２の案内溝１５に付勢されており、その付勢ばね１２は、固定リングまたはサークリップの形状をしたばね接合部１４によって作動レバー１に対して支持されている。図示するように、付勢ばね１２は、コイルばねの形状としてもよく、作動レバー１に挟まれている。作動レバー１は、付勢ばね１２の付勢力によって図２に示す初期位置に付勢されている。そのため、案内装置２の案内ブロックは、案内溝１５が互いに直交するように延在する部分的に球形の凹部の形状としてもよい。
【００１７】
容器部５の上側の凹部形状部分である開口部１６には、案内装置２が配置されている。案内装置は、開口部１６に対して突出して嵌め合わされている。上部容器部５の下側には、作動レバー１の各位置または動作に依存して、接続した設備の部品を任意に機能させる電子部品をもつプリント基板４が配置されている。作動させる設備の部品への電気的接続は差込式接続片１７を用いてなされ、差込式接続片１７はプリント基板４に備えられ、組み立て時（図２）に容器内で適するような凹部形状で配置されている。
【００１８】
プリント基板４の下側にはスイッチ３が配置され、図示した実施例においては極小のスイッチ形状である。これらの極小スイッチ３は、プリント基板４の４箇所に対になるように設置してある。
【００１９】
板状の作動装置８は、作動レバー１の軸方向に一定の間隔を空けてスイッチ３の下方に配置してある。作動装置８は、隅に配置した４つの固定箇所１９において上部容器部５の下側に固定されている。プリント基板４の下側に固定されたスイッチ３からの距離は、プリント基板の端とかみ合い、そして固定板１８を用いて容器に対して固定される支持肩のある適切な形状の開口部をもつ上部容器部５によって支持されるプリント基板により設けられている。固定板１８の端には穴があり、２つの容器部５および６を接続するねじ接続部が通っている。これらのねじ接続部も、板状で上部容器部５の下側と下部容器部６の上側の間に配置されている作動装置８を固定箇所１９の隅で固定する。
【００２０】
板状作動装置８には、中央開口部２０が通っており、作動レバー１の一部がそこを通して突出しており、回転する回転軸１０の下部となる。弾性変形する性質の作動部９はその貫通する開口部２０の方向へ突出している。作動部９はスイッチ３の各組に対応している。そして、作動部９は接続されて一体となって板状またはフレーム形状の作動装置８を形成している。静止状態または初期位置において、舌状の作動部９はスイッチ３または開閉接点から間隔が空くように配置される。
【００２１】
動作伝達装置７は、作動装置８の下方で開口部２０を通って突出する作動レバー１の一部に固定される。動作伝達装置７は、例えば発泡材のような弾性変形材料から成る。組み立てた状態において（図２）、動作伝達装置７は下部容器部６のカップ形状の開口部２１に配置される。また、動作伝達装置７は、図１に示すような薄厚円筒体の形状としてもよい。動作伝達装置７は開口部２１に突出する作動レバー１の下端部に固定される。作動レバー１が案内装置２の案内路または案内溝１５のうちの一つに沿って回転すると、作動レバー１の下端および付随する動作伝達装置７も開口部２１内で回転する。そのとき、動作伝達装置７は作動部９のうちの一つに対して下から押圧し、その弾性変形する性質によって上側へ移動させて一組のスイッチ３のうちの一つを作動させる。一組のスイッチ３の代わりに、各スイッチを作動させることも可能である。さらに、それぞれまたは一組、またはそれ以上の所定の数の開閉接点をプリント基板４に備えてもよい。動作伝達装置７は、薄厚円筒形状の代わりに、星型形状または、作動レバー１の各位置に依存するそれぞれ対応する作動部９への動作伝達に適した他の形状としてもよい。プリント基板４の各スイッチ３または開閉接点は、動作伝達装置７の弾性変形する性質によって、慎重に穏やかに作動される。また、作動部９への移動の弾性的な伝達によって、スイッチ３または開閉接点に対する間接的動作を含めて、使用している部品に対して丁寧に慎重に負荷がかかる。作動レバー１を放すと、自動的に上述した初期位置にもどる。
【００２２】
上記の丁寧で慎重な動作伝達によって、図３に示すような足元スイッチ１１を用いたときの比較的粗い動作のときでさえ、作動レバー１を作動させることができる。図３に示す足元スイッチ１１には、図１および２の実施例を３つ含んでおり、例えばメモリースイッチ２６により作動するメモリー機能を含む多くの機能を、接続している設備の部品に実行することができる。メモリー機能により、動作伝達機能や対応するテーブル部２３を作動する各作動レバー１の動作が得られ、また、対応するテーブル部２３のそれぞれまたは複数を元の位置に戻すことができる。通常の動作伝達機能は、作動スイッチ２７によって足元スイッチ１１に設定されている。３つの作動レバー１は、ジョイスティックのように、所定の水平方向および垂直方向に動かせる。このため、作動レバーは足元スイッチに回転可能に取り付けられる。図３に示すように、通常（中立）の位置にある作動レバー１は、足元スイッチ１１の外側に形成された表面部２２の周囲から放射状に突出するように、円錐台状、垂直状、または傾斜した円筒状に設置されている。図４に示すように、特に手術室用の診療台などの、患者用の診療台２４の、互いに連動して位置の変更が可能なテーブル部２３の位置変更に足元スイッチ１１が用いられる。このような種類の診療台は、例えば特許文献１で知られている。
【００２３】
足元スイッチ１１のスイッチ３は診療台２４の昇降用支柱にある電気制御装置２５に接続される。各スイッチ位置に対応してそれぞれの動作を行うため、制御装置２５は、各テーブル部２３に対応する油圧駆動ピストン形シリンダー装置を制御する。
【図面の簡単な説明】
【００２４】
【図１】本発明で用いられる足元スイッチの実施例による斜視分解図である。
【図２】図１の実施例の組み立てた状態を示す。
【図３】図１および図２の実施例を三点配置した足元スイッチを示す。
【図４】図３の足元スイッチを適用した診療台を示す。
【符号の説明】
【００２５】
１  作動レバー
２  案内装置
３  スイッチ
４  回路基板
５  容器部
６  容器部
７  動作伝達装置
８  作動装置
９  作動部
１０  回転軸
１１  足元スイッチ
１２  付勢ばね
１３  案内ボール
１４  ばね接合部
１５  案内溝
１６  開口部
１７  接合差込片
１８  固定板
１９  固定点
２０  中央開口部
２１  カップ形状開口部
２２  周囲表面部
２３  テーブル部
２４  診療台
２５  制御装置
２６  メモリースイッチ
２７  動作スイッチ
【図１】
2009136462.tif 000003
【図２】
2009136462.tif 000004
【図３】
2009136462.tif 000005
【図４】
2009136462.tif 000006